(57)【要約】    【課題】  従来、２つの出力に対しては２つのＤＣ／ＤＣコンバータを必要としており、小型化が図れなかった。    【解決手段】  本発明の２出力ＤＣ／ＤＣコンバータ１は、入力線２と出力線３との間に出力電圧制御回路４とインダクタンス５とを介装し、出力電圧制御回路とインダクタンスとの間とグランドＧＮＤとをダイオードＤ１を介装して接続すると共に、出力線３と出力線６との間に出力電圧制御回路７とインダクタンス８とを介装し、出力電圧制御回路とインダクタンスとの間とグランドＧＮＤとをダイオードＤ２を介装して接続し、出力線３と接続した外部出力線Ｖｏｕｔ１とグランドとの間にコンデンサＣ１を介装し、出力線６と接続した外部出力線Ｖｏｕｔ２とグランドとの間にコンデンサＣ２を介装し、入力線２と接続した外部入力線Ｖｉｎとグランドとの間にコンデンサＣ３を介装した。    【選択図】      図１
2006345659.tif 000002
【特許請求の範囲】
【請求項１】
２出力ＤＣ／ＤＣコンバータは、入力線と第１の出力線との間に第１の出力電圧制御回路と第１のインダクタンスとを介装し、前記第１の出力電圧制御回路と前記第１のインダクタンスとの間の接続点とグランド線とを第１のダイオードを介装して接続すると共に、前記第１の出力線と第２の出力線との間に第２の出力電圧制御回路と第２のインダクタンスとを介装し、前記第２の出力電圧制御回路と前記第２のインダクタンスとの間の接続点とグランド線とを第２のダイオードを介装して接続し、前記第１の出力線と接続した第１の外部出力線と前記グランド線と接続した外部グランド線との間に第１のコンデンサを介装し、前記第２の出力線と接続した第２の外部出力線と前記グランド線と接続した外部グランド線との間に第２のコンデンサを介装し、前記入力線と接続した外部入力線とグランド線と接続した外部グランド線との間に第３のコンデンサを介装したことを特徴とする２出力ＤＣ／ＤＣコンバータの外部接続回路。
【発明の詳細な説明】
【技術分野】
【０００１】
本発明は２出力ＤＣ／ＤＣコンバータの外部接続回路に関するものであり、更に詳細には、ＤＣ／ＤＣコンバータに第１の出力線と第２の出力線を設け、外部接続回路に夫々コンデンサを備えたことにより、１つのＤＣ／ＤＣコンバータにより２つの電圧の相違する電流を得ることができる２出力ＤＣ／ＤＣコンバータの外部接続回路に関するものである。
【背景技術】
【０００２】
一般的に、これらの２つの電流を得るためのＤＣ／ＤＣコンバータは出力によって夫々ＤＣ／ＤＣコンバータを設けていたため小型化の障害となっていた。
【０００３】
従来、例えば、ショットキーバリアダイオードを使わず、切替回路をＦＥＴとトランジスタと抵抗で構成し、ＡＣアダプタの出力電圧が設定電圧以下になるとＦＥＴをＯＮさせてＡＣアダプタ入力をバッテリ入力に切替えるようにしたもの（特許文献１参照）や、抵抗分割方式による電圧供給回路２から供給される電圧が一方に入力され、他方に基準電圧が入力されるコンパレータ３と、一方に前記コンパレータ３からの出力電圧が入力され、他方には発振回路１３からの出力が入力されるＮＡＮＤ回路１４と、該ＮＡＮＤ回路１４の出力がインバータ１５を介してＮチャネル型ＭＯＳトランジスタ７のゲートに入力されて成るＤＣ−ＤＣコンバータにおいて、電源投入直後のある期間内に、前記ＮＡＮＤ回路１４にある一定信号「Ｈ」を供給する補助回路２０を前記コンパレータ３から前記ＮＡＮＤ回路１４との間に介在させたもの（特許文献２参照）や、電圧制御部６１１から半導体スイッチ２に与える駆動信号を絶縁するトランス３０上にスイッチ２０，８をオンさせる電圧を発生する巻線３０−２０，３０−８を設け、降圧動作時にはリレー接点９１，９２間を閉じトランス３０を付勢してスイッチ２を断続オン、スイッチ２０，８をオンとし、昇圧動作時にはリレー接点９１，９２間を開きトランス３０を付勢してスイッチ２０，８をオンとし、別にスイッチ３を断続オンするもの（特許文献３参照）等が開示されている。
【特許文献１】特開平９−１８２２８８号公報
【特許文献２】特開２０００−１３４９１３号公報
【特許文献３】特開２００４−１３５４７８号公報
【発明の開示】
【発明が解決しようとする課題】
【０００４】
然し乍ら、従来開示されているものは２出力のＤＣ／ＤＣコンバータは無く、２つの出力に対しては２つのＤＣ／ＤＣコンバータを必要としており、小型化が図れなかった。
【課題を解決するための手段】
【０００５】
前述の課題に鑑み、鋭意研鑽の結果、２出力ＤＣ／ＤＣコンバータは、第１の出力線との間に第１の出力電圧制御回路と第１のインダクタンスとを介装し、第１の出力電圧制御回路と第１のインダクタンスとの間の接続点とグランドとを第１のダイオードを介装して接続すると共に、第１の出力線と第２の出力線との間に第２の出力電圧制御回路と第２のインダクタンスとを介装し、第２の出力電圧制御回路と第２のインダクタンスとの間の接続点とグランドとを第２のダイオードを介装して接続し、第１の出力線と接続した第１の外部出力線とグランドとの間に第１のコンデンサを介装し、第２の出力線と接続した第２の外部出力線とグランドとの間に第２のコンデンサを介装し、入力線と接続した外部入力線とグランドとの間に第３のコンデンサを介装したものである。
【発明の効果】
【０００６】
本発明の２出力ＤＣ／ＤＣコンバータの外部接続回路は、２出力ＤＣ／ＤＣコンバータに入力線と第１の出力線と第２の出力線を設けると共に、第１の出力電圧制御回路と第２の出力電圧制御回路とを夫々介装して、夫々の外部接続回路に夫々コンデンサを備えたことにより、１つの２出力ＤＣ／ＤＣコンバータで２つの電圧の相違する出力を得られるもので、小型化を図ると共に廉価に提供できるものであり、画期的で実用性の高い発明である。
【発明を実施するための最良の形態】
【０００７】
本発明は２出力ＤＣ／ＤＣコンバータの外部接続回路に関するものであり、更に詳細には、２出力ＤＣ／ＤＣコンバータ１に第１の出力線３と第２の出力線６を設け、外部接続回路に夫々コンデンサＣ１．Ｃ２．Ｃ３を備えたことにより、１つの２出力ＤＣ／ＤＣコンバータ１により２つの電圧の相違する電流を得ることができる２出力ＤＣ／ＤＣコンバータの外部接続回路に関するものであり、２出力ＤＣ／ＤＣコンバータ１は、入力線２と第１の出力線３との間に第１の出力電圧制御回路４と第１のインダクタンス５とを介装し、前記第１の出力電圧制御回路４と前記第１のインダクタンス５との間の接続点とグランドＧＮＤとを第１のダイオードＤ１を介装して接続すると共に、前記第１の出力線３と第２の出力線６との間に第２の出力電圧制御回路７と第２のインダクタンス８とを介装し、前記第２の出力電圧制御回路７と前記第２のインダクタンス８との間の接続点とグランドＧＮＤとを第２のダイオードＤ２を介装して接続し、前記第１の出力線３と接続した第１の外部出力線Ｖｏｕｔ１と前記グランドＧＮＤとの間に第１のコンデンサＣ１を介装し、前記第２の出力線６と接続した第２の外部出力線Ｖｏｕｔ２と前記グランドＧＮＤとの間に第２のコンデンサＣ２を介装し、前記入力線２と接続した外部入力線ＶｉｎとグランドＧＮＤとの間に第３のコンデンサＣ３を介装したことを特徴とするものである。
【実施例】
【０００８】
以下、本発明のＤＣ／ＤＣコンバータの外部接続回路の実施例の図面を用いて詳細に説明すると、図１は本発明の２出力ＤＣ／ＤＣコンバータの外部接続回路の実施例の回路図である。
【０００９】
即ち、本発明の２出力ＤＣ／ＤＣコンバータの外部接続回路の実施例は、図１に図示する如く、２出力ＤＣ／ＤＣコンバータ１には１つの入力線２と２つの相違する電圧の直流出力をする２つの出力線３．６を備えたものである。
【００１０】
そして、第１の出力電圧制御回路４は第１のインダクタンス５と共に入力線２と第１の出力線３との間に介装されているもので、第１の出力電圧制御回路４は第１のトランジスタ（ＭＯＳＦＥＴ）４ａを介して接続されているものである。
【００１１】
次に、第１のダイオードＤ１はカソードを第１の出力電圧制御回路４と第１のインダクタンス５との間の接続点を設けて接続すると共に、アノードをグランドＧＮＤに接続しているものである。
【００１２】
次いで、第１の抵抗Ｒ１と第２の抵抗Ｒ２を接続して片側を第１のインダクタンス５の出力側と接続し、他側をグランドＧＮＤに接続すると共に、第１の抵抗Ｒ１と第２の抵抗Ｒ２の間に接続点を設けて第１の出力電圧制御回路４と接続させているものである。
【００１３】
更に、第２の出力電圧制御回路７は第２のインダクタンス８と共に第１の出力線３と第２の出力線６との間に介装されているもので、第２の出力電圧制御回路７は第２のトランジスタ（ＭＯＳＦＥＴ）７ａを介して接続されているものである。                      
【００１４】
更には、第２のダイオードＤ２はカソードを第２の出力電圧制御回路７と第２のインダクタンス８との間の接続点を設けて接続すると共に、アノードを前記グランドＧＮＤに接続しているものである。
【００１５】
次に、第３の抵抗Ｒ３と第４の抵抗Ｒ４を接続して片側を第２のインダクタンス８の出力側と接続し、他側をグランドＧＮＤに接続すると共に、第３の抵抗Ｒ３と第４の抵抗Ｒ４の間に接続点を設けて第２の出力電圧制御回路７と接続させているものである。
【００１６】
そして、第１のコンデンサＣ１は第１の出力線３と接続した第１の外部出力線Ｖｏｕｔ１とグランドＧＮＤとの間に介装しているものであり、第１の外部出力線Ｖｏｕｔ１には１１．７〜１２．３Ｖの直流出力電圧が出力されるものであるが、実施例では１２Ｖの直流出力電圧を出力されるものである。
【００１７】
更に、第２のコンデンサＣ２は第２の出力線６と接続した第２の外部出力線Ｖｏｕｔ２とグランドＧＮＤとの間に介装しているものであり、第２の外部出力線６には４．８５〜５．１５Ｖの直流出力電圧を出力するものであるが、実施例では５Ｖの直流出力電圧を出力しているものである。
【００１８】
更には、第３のコンデンサＣ３は入力線２と接続した外部入力線ＶｉｎとグランドＧＤＮとの間に介装したもので、外部入力線Ｖｉｎからの直流入力電圧は１６〜４０Ｖものであるが、実施例では３２Ｖの直流入力電圧の電流を入力するものである。
【産業上の利用可能性】
【００１９】
本発明の２出力ＤＣ／ＤＣコンバータの外部接続回路は、遊技機等に用いるもので、１つのＤＣ／ＤＣコンバータの１６〜４０Ｖの直流入力電圧を１１．７〜１２．３Ｖの直流出力電圧と４．８５〜５．１５Ｖの直流出力電圧とにコンバートするものであり、小型化を図ると共に保護回路として過電流保護、過熱保護に最適のものである。
【図面の簡単な説明】
【００２０】
【図１】図１は本発明のＤＣ／ＤＣコンバータの外部接続回路の実施例の回路図である。
【符号の説明】
【００２１】
１      ２出力ＤＣ／ＤＣコンバータ
２      入力線
３      第１の出力線
４      第１の出力電圧制御回路
４ａ    第２のトランジスタ（ＭＯＳＦＥＴ）
５      第１のインダクタンス
６      第２の出力線
７      第２の出力電圧制御回路
７ａ    第２のトランジスタ（ＭＯＳＦＥＴ）
８      第２のインダクタンス
ＧＮＤ  グランド
Ｄ１    第１のダイオード
Ｄ２    第２のダイオード
Ｃ１    第１のコンデンサ
Ｃ２    第２のコンデンサ
Ｃ３    第３のコンデンサ
Ｒ１    第１の抵抗
Ｒ２    第２の抵抗
Ｒ３    第３の抵抗
Ｒ４    第４の抵抗
Ｖｏｕｔ１    第１の外部出力線
Ｖｏｕｔ２    第２の外部出力線
Ｖｉｎ        外部入力線
【図１】
2006345659.tif 000003